【手続補正書】
【提出日】平成26年7月1日(2014.7.1)
【手続補正１】
【補正対象書類名】特許請求の範囲
【補正対象項目名】全文
【補正方法】変更
【補正の内容】
【特許請求の範囲】
【請求項１】
少なくとも２つのＩ形鋼部材を接続するための立体ジャケットプレートコネクタであって、前記ジャケットプレートコネクタは、
第１の立体ジャケットプレートと、
前記第１の立体ジャケットプレートの実質的に鏡像である第２の立体ジャケットプレートとを備え、前記第１および第２の立体ジャケットプレートは、１つ以上の接続二次Ｉ形鋼部材を連続一次Ｉ形鋼部材に接続する接合部の両側にそれぞれボルト締めされ、
各ジャケットプレートは、連続一次Ｃチャネルと、１つ以上の分岐二次Ｃチャネルとを含み、前記一次Ｃチャネルと前記二次Ｃチャネルは、前記１つ以上の接続二次Ｉ形鋼部材の長手方向軸と前記連続一次Ｉ形鋼部材の長手方向軸との間に形成された、前記接合部の角度と一致するように、交わり、
各ジャケットプレートは、１つの連続サイドウェブと、前記サイドウェブに対して垂直でありかつ前記サイドウェブの周囲に沿って位置する結合フランジのセグメントとを含み、
前記１つの連続サイドウェブは、共通する平坦面を共有する、互いに交わりかつ接続されたＣチャネルそれぞれのウェブによって形成され、
前記結合フランジの各セグメントは、前記連続一次Ｃチャネルの内側のフランジの一部を、前記連続一次Ｃチャネルと前記分岐二次Ｃチャネルとの交線に沿って切取り、前記連続一次Ｃチャネルの、一部が切取られた前記フランジの、残った部分と、接続された二次Ｃチャネルのフランジとが、前記サイドウェブの周囲に沿って位置する前記ジャケットプレートの前記結合フランジのセグメントを形成するようにすることによって、形成され、
内側のすべてのフランジ各々の一部を切取った状態で、前記サイドウェブおよびその周囲のフランジは、中空内部空間を、全方向から設置されるＩ形ビーム鋼部材の収容に対する障害物がない状態で囲む、立体ジャケットプレートコネクタ。
【請求項２】
前記ジャケットプレートのＣチャネルの周囲のフランジは、前記ジャケットプレートの内側に収容されたＩ形鋼部材の対応するフランジの上に、前記接合部において固定される、請求項１に記載のコネクタ。
【請求項３】
前記ジャケットプレートの１つの連続サイドウェブは、Ｔ字形、Ｖ字形、ｙ字形、Ｌ字形、Ｋ字形、２つのＫ字形を互いに逆向きになるように回転させて突合せた形状、回転させたＴ字形、傾斜させたＶ字形、回転させたｙ字形、回転させたＫ字形、Ｘ字形、十字形または＋形状、回転させた十字形または＋形状、アスタリスク形状全体またはその一部の形状のうちの、１つまたはこれらを組合わせたものを形成する、請求項１に記載のコネクタ。
【請求項４】
前記ジャケットプレートは、前記ジャケットプレートを前記一次連続Ｉ形鋼部材および前記１つ以上の二次Ｉ形鋼部材にボルト接続するための、予め開けられた複数のドリル穴を含み、予め開けられた前記複数のドリル孔はクランププレートに設けられ、前記クランププレートは、収容されたＩ形鋼部材のフランジの幅広の各外面が対応するクランププレートのうちの１つによって覆われるよう、前記Ｉ形鋼部材のフランジにボルト接続されるように構成される、請求項１に記載のコネクタ。
【請求項５】
前記クランププレートにおける前記予め開けられたドリル穴は、前記接合部の内側に収容されたＩ形鋼部材のフランジの、対応する予め開けられたドリル穴と一致する、請求項４に記載のコネクタ。
【請求項６】
前記ジャケットプレートは、収容されたＩ形鋼部材の対応するフランジにボルト締めされるクランププレートを有する、請求項１に記載のコネクタ。
【請求項７】
鉛直方向においては前記接続二次Ｉ形鋼部材の対向するフランジによって囲まれ、水平方向においては前記ジャケットプレートのサイドウェブと、１つまたは２つの前記二次Ｉ形鋼部材のウェブとによって囲まれた、箱型空間が、前記ジャケットプレートのクランププレートを前記接続二次Ｉ形鋼部材のフランジに接続するボルトのナットを締めるための前部開放端からのアクセスを可能にする、請求項１に記載のコネクタ。
【請求項８】
前記ジャケットプレートのクランププレートは、前記接合部において、前記ジャケットプレートの内側に収容された前記連続一次Ｉ形鋼部材および前記１つ以上の接続二次Ｉ形鋼部材の対応するフランジに溶接される、請求項１に記載のコネクタ。
【請求項９】
前記連続一次Ｃチャネルおよび前記１つ以上の分岐二次Ｃチャネルは、熱間圧延を用いて形成される、請求項１に記載のコネクタ。
【請求項１０】
前記ジャケットプレートの、対をなす対向するクランププレート間の内部空間距離は、対応するＩ形鋼部材の断面における最外部を結ぶ深さに実質的に等しい、請求項１に記載のコネクタ。
【請求項１１】
前記１つ以上の接続二次Ｉ形鋼部材は、前記連続一次Ｉ形鋼部材に、非垂直角度をなして接合される、請求項１に記載のコネクタ。
【請求項１２】
前記接合部は少なくとも２つの接続二次Ｉ形鋼部材を含む、請求項１に記載のコネクタ。
【請求項１３】
２つ以上の二次Ｉ形鋼部材のうちの少なくとも１つが、前記連続一次Ｉ形鋼部材に、非垂直角度をなして接合される、請求項１に記載のコネクタ。
【請求項１４】
前記結合フランジのセグメントのうちの少なくとも１つは、追加の上板を溶接して、前記連続Ｃチャネルと前記分岐Ｃチャネルのうちの少なくとも１つとの間の、結合フランジの空隙を、閉じることによって、形成される、請求項１に記載のコネクタ。
【請求項１５】
少なくとも２つのＩ形鋼部材を接続するための立体ジャケットプレートコネクタであって、前記ジャケットプレートコネクタは、
第１の立体ジャケットプレートと、
前記第１の立体ジャケットプレートの実質的に鏡像である第２の立体ジャケットプレートとを備え、前記第１および第２の立体ジャケットプレートは、１つ以上の接続二次Ｉ形鋼部材を連続一次Ｉ形鋼部材に接続する接合部の両側にそれぞれボルト締めされ、
各ジャケットプレートは、連続一次Ｃチャネルと、１つ以上の分岐二次Ｃチャネルとを含み、前記一次Ｃチャネルと前記二次Ｃチャネルは、前記１つ以上の接続二次Ｉ形鋼部材の長手方向軸と前記連続一次Ｉ形鋼部材の長手方向軸との間に形成された、前記接合部の角度と一致するように、交わり、
各ジャケットプレートは、１つの連続サイドウェブと、前記サイドウェブに対して垂直でありかつ前記サイドウェブの周囲に沿って位置する結合フランジのセグメントとを含み、
前記１つの連続サイドウェブは、共通する平坦面を共有する、互いに交わり接続されたＣチャネルそれぞれのウェブによって形成され、
前記結合フランジの各セグメントは、前記連続一次Ｃチャネルの内側のフランジの一部を、前記連続一次Ｃチャネルと前記分岐二次Ｃチャネルとの交線に沿って切取り、前記連続一次Ｃチャネルの、一部が切取られた前記フランジの、残った部分と、接続された二次Ｃチャネルのフランジとが、前記サイドウェブの周囲に沿って位置する前記ジャケットプレートの前記結合フランジのセグメントを形成するようにすることによって、形成され、
内側のすべてのフランジ各々の一部を切取った状態で、前記サイドウェブおよびその周囲のフランジは、中空内部空間を、全方向から設置されるＩ形ビーム鋼部材の収容に対する障害物がない状態で囲み、
前記ジャケットプレートの前記一次Ｃチャネルの断面の深さ全体にわたって設置された少なくとも１つのねじ切りされたテンションロッドが、曲げモーメントおよびせん断力を前記接合部を通して伝達し、
前記一次Ｉ形鋼部材のフランジの間に溶接された少なくとも１つの鋼板補剛材が、前記少なくとも１つのねじ切りされたテンションロッドによって生じた圧縮力を抑制する、立体ジャケットプレートコネクタ。
【請求項１６】
少なくとも２つのＩ形鋼部材を接続するための立体ジャケットプレートコネクタであって、前記ジャケットプレートコネクタは、
第１の立体ジャケットプレートと、
前記第１の立体ジャケットプレートの実質的に鏡像である第２の立体ジャケットプレートとを備え、前記第１および第２の立体ジャケットプレートは、１つ以上の接続二次Ｉ形鋼部材を連続一次Ｉ形鋼部材に接続する接合部の両側にそれぞれボルト締めされ、
各ジャケットプレートは、連続一次Ｃチャネルと、１つ以上の分岐二次Ｃチャネルとを含み、前記一次Ｃチャネルと前記二次Ｃチャネルは、前記１つ以上の接続二次Ｉ形鋼部材の長手方向軸と前記連続一次Ｉ形鋼部材の長手方向軸との間に形成された、前記接合部の角度と一致するように、交わり、
各ジャケットプレートは、１つの連続サイドウェブと、前記サイドウェブに対して垂直でありかつ前記サイドウェブの周囲に沿って位置する結合フランジのセグメントとを含み、
前記１つの連続サイドウェブは、共通する平坦面を共有する、互いに交わるＣチャネルそれぞれのウェブによって形成され、
前記結合フランジの各セグメントは、前記連続一次Ｃチャネルの内側のフランジの一部を、前記連続一次Ｃチャネルと前記分岐二次Ｃチャネルとの交線に沿って切取り、前記連続一次Ｃチャネルの、一部が切取られた前記フランジの、残った部分と、接続された二次Ｃチャネルのフランジとが、前記サイドウェブの周囲に沿って位置する前記ジャケットプレートの前記結合フランジのセグメントを形成するようにすることによって、形成され、
内側のすべてのフランジ各々の一部を切取った状態で、前記サイドウェブおよびその周囲のフランジは、中空内部空間を、全方向から設置されるＩ形ビーム鋼部材の収容に対する障害物がない状態で囲み、
前記切取られた部分は、前記接合部の中の負荷伝達経路を最適化し、かつ、内部の制約を排除し応力集中状態を解除することによって前記ジャケットプレートの全体の延性を高める、立体ジャケットプレートコネクタ。
【請求項１７】
少なくとも２つのＩ形鋼部材を接続するための立体ジャケットプレートコネクタであって、前記ジャケットプレートコネクタは、
第１の立体ジャケットプレートと、
前記第１の立体ジャケットプレートの実質的に鏡像である第２の立体ジャケットプレートとを備え、前記第１および第２の立体ジャケットプレートは、１つ以上の接続二次Ｉ形鋼部材を連続一次Ｉ形鋼部材に接続する接合部の両側にそれぞれボルト締めされ、
各ジャケットプレートは、連続一次Ｃチャネルと、１つ以上の分岐二次Ｃチャネルとを含み、前記一次Ｃチャネルと前記二次Ｃチャネルは、前記１つ以上の接続二次Ｉ形鋼部材の長手方向軸と前記連続一次Ｉ形鋼部材の長手方向軸との間に形成された、前記接合部の角度と一致するように、交わり、
各ジャケットプレートは、１つの連続サイドウェブと、前記サイドウェブに対して垂直でありかつ前記サイドウェブの周囲に沿って位置する結合フランジのセグメントとを含み、
前記１つの連続サイドウェブは、共通する平坦面を共有する、互いに交わるＣチャネルそれぞれのウェブによって形成され、
前記結合フランジの各セグメントは、前記連続一次Ｃチャネルの内側のフランジの一部を、前記連続一次Ｃチャネルと前記分岐二次Ｃチャネルとの交線に沿って切取り、前記連続一次Ｃチャネルの、一部が切取られた前記フランジの、残った部分と、接続された二次Ｃチャネルのフランジとが、前記サイドウェブの周囲に沿って位置する前記ジャケットプレートの前記結合フランジのセグメントを形成するようにすることによって、形成され、
内側のすべてのフランジ各々の一部を切取った状態で、前記サイドウェブおよびその周囲のフランジは、中空内部空間を、全方向から設置されるＩ形ビーム鋼部材の収容に対する障害物がない状態で囲み、
前記フランジの一部を切取ったことによって生じた中空内部空間によって、すでに適所で固定されて間に実質的に隙間がない状態で互いに密着しているＩ形鋼部材の両側から、ジャケットプレートを容易に設置することが可能である、立体ジャケットプレートコネクタ。